(57)【要約】【課題】本発明は、発呼側の着信信号に対して適切に親機又は子機を鳴動させることが可能な通信装置等を提供する。【解決手段】本発明の通信装置１は、親機１０と、当該親機１０に接続される少なくとも一つの子機２０と、を備えた通信装置であって、前記親機１０は、識別情報を記憶する記憶手段３３と、当該記憶手段３３に記憶されている識別情報に基づいて、入力される着信信号に含まれる識別情報を検索する検索手段と、前記検索手段により検索された識別情報に対応づけられる子機に対して呼出音を鳴動させる鳴動指示を送信する送信手段と、を備え、前記子機２０は、人の存否を検知する人体検知センサ３１と、前記鳴動指示に基づいて前記人体検知センサにより人の存否を判断する判断手段と、前記判断の結果、人が検知されたことを条件に呼出音を鳴らす子機鳴動手段と、を備えている。【選択図】図３
2008252285.tif 000002
【特許請求の範囲】
【請求項１】
親機と、当該親機に接続される少なくとも一つの子機と、を備えた通信装置であって、
前記親機は、
識別情報を記憶する記憶手段と、
当該記憶手段に記憶されている識別情報の中に、入力される着信信号に含まれる識別情報があるか否かを検索する検索手段と、
前記検索手段により検索された識別情報に対応づけられる子機に対して呼出音を鳴動させる鳴動指示を送信する送信手段と、を備え、
前記子機は、
人の存否を検知する人体検知センサと、
前記人体検知センサにより人の存否を判断する判断手段と、
前記判断の結果、人が検知されたことを条件に、前記鳴動指示により呼出音を鳴らす子機鳴動手段と
を備えていることを特徴とする通信装置。
【請求項２】
前記親機は、
音声データを記憶する記憶手段と、
前記回線を閉結する回線閉結手段と、
前記回線閉結手段により回線を閉結させ、該閉結された回線に前記音声データを再生する再生手段と、を更に具備し、
前記子機は、
前記判断手段による判断の結果、人の存在が判断できた場合を除いて、その旨を前記親機に通知する通知手段を更に具備し、
前記親機の再生手段は、前記子機からの通知を条件に、前記回線閉結手段により回線を閉結させ、該閉結された回線に前記音声データを再生することを特徴とする請求項１に記載の通信装置。
【請求項３】
前記親機は、
呼出音を鳴らす親機鳴動手段を更に備え、
前記子機は、
前記判断手段による判断の結果、人の存在が判断できた場合を除いて、その旨を前記親機に通知する通知手段を更に具備し、
前記親機は、前記子機からの通知を条件に、前記親機鳴動手段により前記呼出音を鳴らすことを特徴とする請求項１に記載の通信装置。
【請求項４】
前記親機は、
前記子機に対して鳴動指示を行ってから予め規定された時間経過後に、回線が閉結されていないことを条件に、前記親機鳴動手段により前記呼出音を鳴らすことを特徴とする請求項１乃至３のいずれか一項に記載の通信装置。
【請求項５】
親機と、当該親機に接続される少なくとも一つの子機と、を備えた通信装置であって、
前記親機は、識別情報を記憶する記憶手段と、当該記憶手段に記憶されている識別情報の中に、入力される着信信号に含まれる識別情報があるか否かを検索する検索手段と、検索された識別情報に対応づけられる子機に対して呼出音を鳴動させる鳴動指示を送信する送信手段と、を備える通信装置における子機であって、
人の存否を検知する人体検知センサと、
前記鳴動指示に基づいて前記人体検知センサにより人の存否を判断する判断手段と、
前記判断の結果、人が検知されたことを条件に呼出音を鳴らす子機鳴動手段と、
を備えていることを特徴とする子機。
【請求項６】
識別情報を記憶する記憶手段を備える親機と、人の存否を検知する人体検知センサを備える当該親機に接続される少なくとも一つの子機と、を備える通信装置のコンピュータを、
当該記憶手段に記憶されている識別情報に基づいて、入力される着信信号に含まれる識別情報を検索し、
検索された識別情報に対応づけられる子機に対して呼出音を鳴動させる旨の鳴動指示を送信し、
前記鳴動指示に基づいて前記人体検知センサにより人の存否を判断し、
前記判断の結果、人が検知されたことを条件に子機の呼出音を鳴らすように機能させることを特徴とする制御プログラム。
【発明の詳細な説明】
【技術分野】
【０００１】
本願は、人体検知センサを備えた通信装置、及びその制御プログラムの技術分野に関する。
【背景技術】
【０００２】
親機と、少なくとも一つの子機と、を備えるコードレス電話機が普及しており、一般にこのような電話機に着信があると、親機及び子機のすべての端末が呼出音を鳴動するようになっている。
【０００３】
近年は、発呼側からの着信信号に基づいて特定の親機又は子機を識別可能なコードレス電話機が存在する（特許文献１〜３参照）。例えば、特許文献１〜３に開示されている電話機は、親機が、発呼側からの着信信号に基づいて特定の親機又は子機を識別し、当該識別された親機又は子機のみが呼出音を鳴動するようになっている。
【０００４】
また、特許文献１の電話機は、親機と、子機からなる電話機において、親機のメモリに識別情報が記憶されていれば、発呼側の識別情報に応じて親機又は子機を鳴動させ、当該識別情報が記憶されていなければ、親機を鳴動させるようになっている。
【０００５】
【特許文献１】特開平１１−１６８５２９号公報
【特許文献２】特開２０００−１５１７９９号公報
【特許文献３】特開平９−４６７０号公報
【発明の開示】
【発明が解決しようとする課題】
【０００６】
しかしながら、識別情報に基づいて親機又は子機を選択的に鳴動させたとしても、当該親機又は子機が設置されている場所に人がいなければ、その近くの場所に人がいても誰もその着信に対して応答しないことになり、着信音が鳴り続けていれば子機の持ち主以外の人はその着信に応答できずに耳障りとなり、不快な思いをする場合がある。
【０００７】
また、最初から親機と子機の両方を鳴動させるのであれば、子機の持ち主にかかってきた電話を子機の持ち主以外の人に取られる場合があり、プライバシーの確保が図り難いという問題がある。
【０００８】
発呼側の着信信号に対して適切に親機又は子機を鳴動させることが可能な通信装置等を提供することを目的とする。
【課題を解決するための手段】
【０００９】
上記課題を解決するために、請求項１に記載の通信装置は、親機と、当該親機に接続される少なくとも一つの子機と、を備えた通信装置であって、前記親機は、識別情報を記憶する記憶手段と、当該記憶手段に記憶されている識別情報に基づいて、入力される着信信号に含まれる識別情報を検索する検索手段と、前記検索手段により検索された識別情報に対応づけられる子機に対して呼出音を鳴動させる鳴動指示を送信する送信手段と、を備え、前記子機は、人の存否を検知する人体検知センサと、前記人体検知センサにより人の存否を判断する判断手段と、前記判断の結果、人が検知されたことを条件に、前記鳴動指示により呼出音を鳴らす子機鳴動手段と、を備えていることを特徴とする。
【００１０】
この発明によれば、通信装置は、着信信号により特定される子機端末の人の存否に対応して当該特定される子機端末の呼出音を鳴動させるか否かを判断するようになっており、人の検知を条件に呼出音を鳴動させるようになっている。よって、子機端末にかかってきた着信信号に対して子機端末の持ち主がいる場合のみ呼出音を鳴らすようになっており、発呼側の着信信号に対して適切に子機端末を鳴動させることができる。
【００１１】
また、請求項２に記載の通信端末は、請求項１に記載の通信端末において、前記親機は、音声データを記憶する記憶手段と、前記回線を閉結する回線閉結手段と、前記回線閉結手段により回線を閉結させ、該閉結された回線に前記音声データを再生する再生手段と、を更に具備し、前記子機は、前記判断手段による判断の結果、人の存在が判断できた場合を除いて、その旨を前記親機に通知する通知手段を更に具備し、前記親機の再生手段は、前記子機からの通知を条件に、前記回線閉結手段により回線を閉結させ、該閉結された回線に前記音声データを再生することを特徴とする。
【００１２】
この発明によれば、通信端末は、人体検知センサとして機能する人感センサにより人が検知できない場合には、自動応答処理するようになっている。よって、子機端末にかかってきた電話に対してその持ち主がいない場合には呼出音を鳴らさないため、持ち主がいない時に当該子機端末の呼出音が鳴ることを防止できる。また、子機端末の持ち主がいない場合であっても、発呼側は留守番応答によって子機端末の持ち主に連絡事項を伝えることができる。
【００１３】
また、請求項３に記載の通信端末は、請求項１に記載の通信端末において、前記親機は、呼出音を鳴らす親機鳴動手段を更に備え、前記子機は、前記判断手段による判断の結果、人の存在が判断できた場合を除いて、その旨を前記親機に通知する通知手段を更に具備し、前記親機は、前記子機からの通知を条件に、前記親機鳴動手段により前記呼出音を鳴らすことを特徴とする。
【００１４】
この発明によれば、通信装置は、人感センサにより人が検知されなければ親機端末が呼出音を鳴らすようになっている。よって、子機端末にかかってきた電話に対してその持ち主がいない場合には子機端末の呼出音を鳴らさないため、持ち主がいない時に当該子機端末の呼出音が鳴ることを防止できる。また、子機端末の持ち主の不在により連絡がつかない場合であっても、発呼側は、親機端末の着信に応じた子機端末の持ち主以外の人を介して子機端末の持ち主に連絡事項などを伝えることができる。
【００１５】
また、請求項４に記載の通信端末は、請求項１乃至３のいずれか一項に記載の通信端末において、前記親機は、前記子機に対して鳴動指示を行ってから予め規定された時間経過後に、回線が閉結されていないことを条件に、前記親機鳴動手段により前記呼出音を鳴らすことを特徴とする。
【００１６】
この発明によれば、通信装置は、人感センサにより人が検知された場合であっても、一定の時間が経過して回線を閉結できずにいたら、親機端末が呼出音を鳴らすようになっている。よって、子機端末の持ち主が何らかの要因で電話に出られず連絡がつかない場合であっても、発呼側は、親機端末により子機端末の持ち主以外の人に連絡事項を伝えることができる。
【００１７】
また、請求項５に記載の子機は、親機と、当該親機に接続される少なくとも一つの子機と、を備えた通信装置であって、前記親機は、識別情報を記憶する記憶手段と、当該記憶手段に記憶されている識別情報の中に、入力される着信信号に含まれる識別情報があるか否かを検索する検索手段と、検索された識別情報に対応づけられる子機に対して呼出音を鳴動させる旨の鳴動指示を送信する送信手段と、を備える通信装置における子機であって、人の存否を検知する人体検知センサと、前記鳴動指示に基づいて前記人体検知センサにより人の存否を判断する判断手段と、前記判断の結果、人が検知されたことを条件に呼出音を鳴らす子機鳴動手段と、を備えていることを特徴とする。
【００１８】
また、請求項６に記載の制御プログラムは、識別情報を記憶する記憶手段を備える親機と、人の存否を検知する人体検知センサを備える当該親機に接続される少なくとも一つの子機と、を備える通信装置のコンピュータを、当該記憶手段に記憶されている識別情報に基づいて、入力される着信信号に含まれる識別情報を検索し、検索された識別情報に対応づけられる子機に対して呼出音を鳴動させる旨の鳴動指示を送信し、前記鳴動指示に基づいて前記人体検知センサにより人の存否を判断し、前記判断の結果、人が検知されたことを条件に子機の呼出音を鳴らすように機能させることを特徴とする。
【発明の効果】
【００１９】
本発明によれば、着信信号によって特定された子機端末が人の存否を判断し、人が検知されれば当該特定された子機端末の呼出音を鳴動させるようになっている。よって、子機端末にかかってきた着信信号に対して子機端末の持ち主がいる場合のみ呼出音を鳴らすようになっており、発呼側の着信信号に対して適切に子機端末を鳴動させることができる。
【発明を実施するための最良の形態】
【００２０】
以下、本願を実施するための最良の形態について、図面を用いて説明する。以下に説明する実施の形態は、いわゆる、親機端末と子機端末とを含んで構成されるファクシミリ機能付きのコードレス親子電話機（以下、単に「コードレス親子電話機１」と称する。）に本願を適用したものである。なお、以下の説明においてファクシミリ機能については一般的な構成を適用するため説明を省略するものとする。
【００２１】
−通信装置の構成等−
まず、図１を参照してコードレス親子電話機の外観構成について説明する。図１はコードレス親子電話機の外観を示す斜視図である。
【００２２】
コードレス親子電話機１は、図１に示すように、ファクシミリ機能を有する親機端末１０と、無線回線を用いて前記親機端末１０と通信を行う子機端末２０と、を含んで構成される。
【００２３】
親機端末１０は、本体ケース１０ａを有し、当該本体ケース１０ａの上面には、ユーザの操作を受け付ける各種操作ボタン１２と、各種情報を表示するための表示パネル１３と、着脱可能に設けられる図示しない送受話器を載置する載置台と、が設けられ、その側面には、子機端末２０と無線回線を用いて通信するためのアンテナ１５が設けられている。操作ボタン１２は、例えば、相手の電話番号などを指定するための０〜９までの番号を備えたテンキーボタン、留守番電話メッセージ等を再生するときに操作される再生ボタン、留守番電話メッセージや入力した電話番号等を消去するときに操作される消去ボタン、操作を途中で終了するときに操作される停止ボタン、表示パネル１３に表示されるメニュー画面等で選択するときに操作される選択ボタン、及び入力した電話番号等を確定させるときに操作される確定ボタンなどを含んで構成される。
【００２４】
一方、子機端末２０は、子機本体２０ａと、当該子機本体２０ａを着脱可能に載置する載置台２５と、を含んで構成され、当該子機本体２０ａは、載置台２５に載せることで充電可能になっている。
【００２５】
子機本体２０ａは、図１に示すように、本体ケースを有し、当該本体ケースの前面には、人の存否を検知する人体検知センサ（人感センサ３１）と、着信した音声が再生される受話部１６と、所定の情報を表示する表示パネル１７と、数字キーなどを含み利用者が操作する操作ボタン１８と、利用者の音声を受信するためのマイクを含む図示しない通話部と、が設けられている。
【００２６】
当該親機端末１０と子機端末２０とは、一般的に家庭で使用される場合には、それぞれが各部屋に設置されて使用されるものであり、回線を通じて入力される着信信号に基づいて識別される親機端末又は子機端末が呼出音を鳴動するようになっており、受話器を取ることによって、発呼側との回線が閉結されて通話可能な状態となる。
【００２７】
次に、図２を参照して、親機端末の内部構成について説明する。図２はコードレス親子電話機の概要構成例を示す図である。
【００２８】
図２に示すように、親機端末１０は、ユーザからの指示を受け付け当該指示に応じた指示信号を制御部４０に対して与える入力部（操作ボタン１８）３２と、各種データ（例えば、識別情報、音声データ、又は設定時間）を記憶保存（格納）するための記憶部３３と、所定の情報を表示する表示部（表示パネル１３）３４と、電話回線を使った接続を行う際に、電話回線とモデムやＤＳＵ（Digital Service Unit）などと接続して、他のファクシミリ装置との通信を確立する回線制御部（ＮＣＵ）３６と、ファクシミリデータを変復調するモデム３５と、アンテナ１５に接続され子機端末２０との間で音声信号を含めた各種信号を無線通信により送受信する無線送受信部３７と、スピーカから音を出力させるためのスピーカ部３８と、経過時間をカウントするタイマー部４１と、呼出音を鳴動させる鳴動部４２と、各部を制御するＣＰＵ等からなる制御部４０と、を含んで構成され、各部はバス４５を介して相互に接続されている。また、ＮＣＵ３６には、モデム３５、無線送受信部３７、及び通話をするための送受話器４３が接続されている。
【００２９】
記憶部３３には、予め親機端末、又は当該親機端末と無線通信により各種信号を送受信可能な子機端末を識別するための識別情報が記憶され、前記制御部４０の指示によって当該識別情報が読み出されるようになっている。また、予め自動応答処理する際の音声データが記憶され、前記制御部４０の指示によって当該音声データが読み出されるようになっている。また、記憶部３３には、回線を介して入力される着信信号に対して自動応答処理するまでの時間が設定された設定時間が記憶され、前記制御部４０の指示によって当該設定時間が読み出されるようになっている。
【００３０】
なお、自動応答処理とは、親機端末１０の制御部４０が、所定の条件に基づいて、自動的に回線を閉結するとともに、当該閉結された回線に留守応答メッセージ（音声データ）を出力し、回線を通じて送られてくる音声情報を記憶部に記憶する留守応答処理をいうものである。
【００３１】
制御部４０は、コンピュータとして、演算機能を有するＣＰＵ４０ａ、作業用ＲＡＭ４０ｂ、不揮発性メモリ、及び各種処理プログラムやデータを記憶するＲＯＭ４０ｃ等を備えて構成されている。そして、ＣＰＵ４０ａが、例えばＲＯＭ４０ｃ等に記憶された制御プログラムを実行（制御アプリケーションを起動）することにより、コンピュータが本願の通信装置として機能するようになっている。この制御プログラムは、発呼側からの着信信号に基づいて親機端末１０の制御部４０が行う処理プログラムである。
【００３２】
また、当該制御部４０は、記憶部３３に記憶されている識別情報に基づいて、モデム３５を介して入力される着信信号に含まれる識別情報を検索する検索手段、当該検索された識別情報に対応づけられる子機に対して鳴動指示を出力する出力手段、呼出音を鳴動する鳴動手段、閉結された回線に音声データを出力する再生手段等として機能するようになっている。
【００３３】
そして、制御部４０は、例えば、記憶部３３に記憶されている識別情報に基づいて、入力される着信信号に含まれる識別情報を検索し、検索された識別情報に対応づけられる子機に対して呼出音を鳴動させる旨の鳴動指令を出力する。そして、人の検知がされないと、フラグ１が制御部４０に出力される。この出力信号に基づいて、制御部４０は、回線制御部３６を制御し、回線を閉結させ、自動応答処理を行う。また、この出力信号に基づいて、制御部４０は、鳴動部４２を制御し、呼出音を鳴動させる。
【００３４】
また、制御部４０は、検索された識別情報に対応づけられる子機端末２０に対して鳴動指令を出力後、所定の時間経過後に、回線が閉結されていないことを条件に、鳴動部４２を制御し、呼出音を鳴動させる。
【００３５】
次に、図２を参照して、子機端末の内部構成について説明する。
【００３６】
図２に示すように、子機端末２０は、子機端末２０周辺の人の存否を検知する人体検知センサ（人感センサ３１）と、呼出音を鳴動させる鳴動部７３と、各種データを書き換え可能に記憶するための記憶部７４と、バッテリー６７に接続されこのバッテリー６７を充電するための充電回路７５と、アンテナに接続され親機１０との間で音声信号を含めた各種信号を無線通信により送受信する無線送受信部７６と、スピーカから音を出力させるためのスピーカ部（受話部１６）７７と、所定の情報を表示する表示部（表示パネル１７）７８と、ユーザからの指示を受け付け当該指示に応じた指示信号を制御部に対して与える入力部（例えば、操作ボタン１８等）７９と、各部を制御するＣＰＵ等からなる制御部７０と、それらを相互に接続するシステムバス８０とを備えている。
【００３７】
また、充電回路７５には、図示しないが、充電台を介して外部の電源が接続可能なように構成されている。
【００３８】
制御部７０は、コンピュータとして、演算機能を有するＣＰＵ７０ａ、作業用ＲＡＭ７０ｃ、不揮発性メモリ、及び各種処理プログラムやデータを記憶するＲＯＭ７０ｂ等を備えて構成されている。そして、ＣＰＵ７０ａが、例えばＲＯＭ７０ｂ等に記憶された制御プログラムを実行（制御アプリケーションを起動）することにより、コンピュータが本願の通信装置として機能するようになっている。この制御プログラムは、発呼側からの着信信号に基づいて子機端末２０の制御部４０が行う処理プログラムである。
【００３９】
また、当該制御部７０は、親機端末１０からの指示に基づいて人感センサ３１により人の存否を判断する判断手段、人が検知されたことを条件に呼出音を鳴らす鳴動指令を鳴動部７３に出力する子機鳴動手段、人の存否を判断した結果を親機端末１０に出力する出力（報告）手段等として機能するようになっている。なお、人感センサ３１については、詳しい説明を省略するが、人感センサ３１の検知領域に人等が入ると、人感センサ３１は人等の発する赤外線を感知して、検知信号であるフラグを制御部４０に出力するものである。
【００４０】
そして、制御部７０は、例えば、人の存否を人感センサ３１により判断し、その判断の結果、人が検知されたことを条件に呼出音を鳴らす鳴動指令を鳴動部７３に出力するようになっている。また、制御部７０は、判断の結果を親機端末１０に出力するようになっている。また、制御部７０は、呼出音を鳴動しても持ち主が応答しない（受話器を取らない）場合には、その旨を親機端末１０に出力するようになっている。
【００４１】
このように構成されたコードレス親子電話機１において、親機１０は、電話回線１００を介して外部の相手側通信端末との間で外線通話が可能であるとともに、子機５０との間で内線通話が可能である。
【００４２】
−通信装置の動作−
次に、図３を参照して、コードレス親子電話機の動作例について説明する。図３はコードレス親子電話機の動作例を示すフローチャート図である。また、以下の説明において、コードレス親子電話機は、親機端末１０と、２つの子機端末２０と、を備えているものとして説明を行うものとし、一方の子機端末は子機端末１、他方の子機端末は子機端末２として説明する。そして、コードレス親子電話機１は、当該親機端末１０及び２つの子機２０のすべてに対応する識別番号を含む電話番号、それぞれの子機端末２０に対応する識別番号を含む電話番号をもっており、発呼側からの着信信号に基づいて当該電話番号に含まれる識別番号を特定し、当該識別番号に対応する親機端末１０又は子機端末２０のそれぞれに着信するようになっている。また、本実施例において、親機端末１０の記憶部３３には、識別情報としての電話帳データベースを備えており、当該電話帳には、相手先名称とその識別番号としての電話番号とともに、その相手先名称及び電話番号毎に、鳴動対象となる子機端末１、子機端末２、又は親機端末１０のそれぞれが選択情報として関連付けられて記憶されているものとする。なお、以下の説明において、理解し易いように、図１に対応する部分に符号を付することとするがこれにより実施形態が限定されるものではない。
【００４３】
はじめに、図３に示す処理は、発呼側から通信回線１００を介して入力される着信信号を親機端末１０のモデム３５が受信した後、実行される処理である。
【００４４】
まず、親機端末１０の制御部４０は、記憶部３３に記憶されている識別情報（電話帳）の中を、発呼側から入力される識別番号（電話番号）が含まれるか否かを検索する。この検索の結果、識別番号が含まれていた場合に、当該識別番号がどの子機端末２０を鳴動させるか（対応するのか）を電話帳の電話番号と共に記憶される選択情報に応じて判断する（ステップＳ１０１）。
【００４５】
この判断の結果、鳴動対象として子機端末１が選択されている場合（図中「Ａ」の場合）には、親機端末１０の制御部４０は、子機端末１に対して人感センサ３１を起動させる旨のセンサ起動指令を出力する。このセンサ起動指令によって、子機端末１の制御部７０は、人感センサ３１を起動させる。当該人感センサ３１は、人の検知の有無に基づき、フラグを制御部７０に出力する。ここで、人感センサ３１は、例えば起動によって、人を検知しない場合には、制御部７０にフラグ「１」を出力し、人を検知した場合には、制御部７０にフラグ「２」を出力する。
【００４６】
子機端末１の制御部７０は、人感センサ３１から受け取ったフラグに基づいて周囲に人がいるか否かを検知し（ステップＳ１０２）、当該検知の結果を親機端末１０に出力する。
【００４７】
次いで、親機端末１０の制御部４０は、当該子機端末１から取得した結果に基づいて、人が検知された場合には（ステップＳ１０２：ＹＥＳ）、当該子機端末１に対して呼出音を鳴動させる旨の鳴動指令を出力する。子機端末１の制御部７０は、鳴動部７３に当該鳴動指令を出力し、呼出音を鳴動させる（ステップＳ１０３）。
【００４８】
次いで、子機端末１の制御部７０は、受話器が取られた（オフフック）か否かを判断する（ステップＳ１０４）。この判断の結果、子機端末１の受話器が取られた場合（ステップＳ１０４：ＹＥＳ）には、親機端末１０の制御部４０にその旨が出力され、親機端末１０の制御部４０は、回線制御部３６によって回線を閉結（通話可能状態）し（ステップＳ１０５）、処理を終了する。
【００４９】
一方、子機端末１の制御部７０は、ステップＳ１０２の判断の結果、人が検知されない場合（ステップＳ１０２：ＮＯ）、若しくはステップＳ１０４の判断の結果、子機端末１の受話器が取られない場合（ステップＳ１０４：ＮＯ）には、親機端末１０にその旨の情報を出力する。親機端末１０の制御部４０は、子機端末１から受け取った情報に基づいて、鳴動部４２に鳴動指令を出力し、呼出音を鳴動させる（ステップＳ１０６）。そして、呼出音を鳴動させている間、前記親機端末１０の受話器が取られて回線制御部３６によって回線が閉結されるまで所定の時間待機させる（ステップＳ１０７）。そして、所定の時間経過後、回線が閉結されない場合には、回線制御部３６に回線を閉結させ、予め記憶部３３に記憶されている音声データを読み出し、該閉結された回線に前記音声データを出力し、発呼側からのメッセージの録音を行い（ステップＳ１０８）、処理を終了する。なお、上記において、受話器が取られなかった場合に、親機端末１０に回線を閉結するように制御したが、子機端末２０で受話器が取られなかった場合には、所定の時間、鳴動させても受話器が取られない場合は、回線を切断してもよく、また、子機端末に留守録機能を備えるものであれば、回線を閉結させ、子機端末２０にメッセージの録音をさせてもよい。
【００５０】
また、親機端末１０の制御部４０は、ステップＳ１０１の判断の結果、子機端末２が選択されている場合（図中「Ｃ」の場合）には、子機端末２に対して人感センサ３１を起動させる旨のセンサ起動指令を出力する。このセンサ起動指令によって、子機端末２の制御部７０は、人感センサ３１を起動させる。当該人感センサ３１は、人の検知の有無に基づき、フラグを制御部７０に出力する。
【００５１】
子機端末２の制御部７０は、人感センサ３１から受け取ったフラグに基づいて周囲に人がいるか否かを判断し（ステップＳ１０９）、当該判断の結果を親機端末１０に出力する。
【００５２】
次いで、親機端末１０の制御部４０は、当該子機端末１から入力された判断の結果に基づいて、人が検知された場合に（ステップＳ１０９：ＹＥＳ）、当該子機端末２に対して呼出音を鳴動させる旨の鳴動指令を出力する。子機端末２の制御部７０は、当該鳴動指令に基づいて、鳴動部７３に呼出音を鳴動させる（ステップＳ１１０）。
【００５３】
次いで、子機端末２の制御部７０は、受話器が取られたか否かを判断する（ステップＳ１１１）。この判断の結果、子機端末２の受話器が取られた場合（ステップＳ１１１：ＹＥＳ）には、親機端末１０の制御部４０にその旨が出力され、親機端末１０の制御部４０は、回線制御部３６によって回線を閉結（通話可能状態）させ（ステップＳ１１２）、処理を終了する。
【００５４】
一方、子機端末２の制御部７０は、ステップＳ１０９の判断の結果、人が検知されない場合（ステップＳ１０９：ＮＯ）、若しくはステップＳ１１１の判断の結果、子機端末２の受話器が取られない場合（ステップＳ１１１：ＮＯ）には、親機端末１０にその旨の情報を出力する。親機端末１０の制御部４０は、子機端末２から受け取った情報に基づいて鳴動部４２に鳴動指令を出力し、呼出音を鳴動させる（ステップＳ１０６）。呼出音を鳴動させている間、前記親機端末１０の受話器が取られて回線制御部３６によって回線が閉結されるまで所定の時間待機させる（ステップＳ１０７）。所定の時間経過後、回線が閉結されない場合には、回線制御部３６に回線を閉結させ、予め記憶部３３に記憶されている音声データを読み出し、該閉結された回線に前記音声データを出力し、発呼側からのメッセージの録音を行い（ステップＳ１０８）、処理を終了する。
【００５５】
また、親機端末１０の制御部４０は、ステップＳ１０１の検索の結果、親機端末１０、子機端末１、及び子機端末２に対応すると判断した場合（図中「Ｂ」の場合）には、子機端末１及び２に対して人感センサ３１を起動させる旨のセンサ起動指令を出力する。このセンサ起動指令によって、子機端末１及び子機端末２の制御部７０は、人感センサ３１を起動させる。当該人感センサ３１は、人の検知の有無に基づき、フラグを制御部７０に出力する。また、通知された識別情報としての電話番号が、電話帳に記憶されていない電話番号等に対応する識別情報である場合には、電話帳に電話番号が記憶されていても、対応する親機端末、子機端末が選択されていないもの、及び公衆電話からの発信、番号非通知の場合、国際電話のため番号通知不可能の場合などを含んでいる。そして、この場合、人感センサ３１による人の検知の有無にかかわらず、親機端末１０、子機端末１、子機端末２のすべてを鳴動させる。
【００５６】
子機端末１及び子機端末２の制御部７０は、人感センサ３１から受け取ったフラグに基づいて周囲に人がいるか否かを判断し（ステップＳ１１３）、当該判断の結果を親機端末１０に出力する。
【００５７】
次いで、親機端末１０の制御部４０は、当該子機端末１から取得した判断の結果に基づいて、子機端末１に人が検知されたことを条件に、当該子機端末１に対して呼出音を鳴動させる旨の鳴動指令を出力する。子機端末１の制御部７０は、鳴動部７３に当該鳴動指令を出力し、呼出音を鳴動させる（ステップＳ１０３）。子機端末１の制御部７０は、その呼出音に対して子機端末１の持ち主が応答するか否かに基づいて所定の処理（ステップＳ１０４、ステップＳ１０５、及びステップＳ１０６〜ステップＳ１０８）を行うようになっている。
【００５８】
また、親機端末１０の制御部４０は、ステップＳ１１３の判断の結果、子機端末２に人が検知された場合に、当該子機端末２に対して呼出音を鳴動させる旨の鳴動指令を出力する。子機端末２の制御部７０は、鳴動部７３に当該鳴動指令を出力し、呼出音を鳴動させる（ステップＳ１１０）。子機端末２の制御部７０は、その呼出音に対して子機端末２の受話器が取られるか否かに基づいて所定の処理（ステップＳ１１１、ステップＳ１１２、及びステップＳ１０６〜ステップＳ１０８）を行うようになっている。
【００５９】
また、親機端末１０の制御部４０は、ステップＳ１１３の判断の結果、子機端末１及び子機端末２において人の存在が判断できた場合を除いて（人が検知されないことを条件に）、鳴動部４２に鳴動指令を出力し、呼出音を鳴動させる（ステップＳ１０６）。そして、呼出音を鳴動している間に、前記親機端末１０の受話器が取られて回線制御部３６によって回線が閉結されるまで待機する（ステップＳ１０７）。そして、所定の時間経過後、回線が閉結されない場合には、回線制御部３６により回線を閉結させ、予め記憶部３３に記憶されている音声データを読み出し、該閉結された回線に前記音声データを出力し、記憶部３３に発呼側からのメッセージの録音を行い（ステップＳ１０８）、処理を終了する。
【００６０】
次に、図４を参照して、図３に示すコードレス親子電話機の動作例について、親機端末の制御部を主体として説明する。図４は親機端末の動作例を示すフローチャート図である。なお、以下の説明において、理解し易いように、図１に対応する部分に符号を付することとするがこれにより実施形態が限定されるものではない。
【００６１】
はじめに、図４に示す処理は、発呼側から通信回線１００を介して入力される着信信号を親機端末１０のモデム３５が受信した後、当該親機端末１０の制御部４０によって実行される処理である。
【００６２】
まず、親機端末１０の制御部４０は、記憶部３３に記憶されている識別情報（電話番号）の中に発呼側から入力される着信信号に含まれる識別番号が含まれるか否かを検索する。この検索の結果、識別情報が含まれた場合に、記憶部３０に記憶される識別情報がどの子機端末２０に対応するのかを判断する（ステップＳ２０１）。この判断の結果、子機端末１に対応すると判断した場合（図中「Ａ」の場合）には、親機端末１０の制御部４０は、子機端末１に対して人感センサ３１を起動させる旨のセンサ起動指令を出力する（ステップＳ２０２）。このセンサ起動指令によって、子機端末１の制御部７０は、人感センサ３１を起動させる。当該人感センサ３１は、人の検知の有無に基づき、フラグを制御部７０に出力する。そして、子機端末１の制御部７０は、人感センサ３１から受け取ったフラグに基づいて親機端末１０に出力する。
【００６３】
次いで、親機端末１０の制御部４０は、当該子機端末１から取得した判断の結果に基づいて、人が検知されたことを条件に（ステップＳ２０３：ＹＥＳ）、当該子機端末１に対して呼出音を鳴動させる旨の鳴動指令を出力する（ステップＳ２０４）。この鳴動指令によって、子機端末１の制御部７０は、鳴動部７３に当該鳴動指令を出力し、呼出音を鳴動させる。
【００６４】
次いで、親機端末の制御部は、子機端末１の受話器が取られたか否かの判断の結果を取得し、その判断の結果に基づいて、子機端末１の受話器が取られた場合、（ステップＳ２０５：ＹＥＳ）、親機端末１０の制御部４０は、回線制御部３６によって回線を閉結（通話可能状態）し、処理を終了する。
【００６５】
一方、ステップＳ２０５において、子機端末１の制御部７０は、ステップＳ２０３の判断の結果、人が検知されない場合（ステップＳ２０３：ＮＯ）、若しくはステップＳ２０５の判断の結果、子機端末１の受話器が取られない場合（ステップＳ２０５：ＮＯ）には、親機端末１０にその旨の情報を出力する。親機端末１０の制御部４０は、子機端末１から受け取った情報に基づいて鳴動部４２に鳴動指令を出力し、呼出音を所定の時間鳴動させる。また、所定の時間経過後、回線が閉結されない場合には、回線制御部３６に回線を閉結させ、予め記憶部３３に記憶されている音声データを読み出し、該閉結された回線に前記音声データを出力し、発呼側からのメッセージの録音を行い（ステップＳ２０６）、処理を終了する。
【００６６】
また、親機端末１０の制御部４０は、ステップＳ２０１の判断の結果、子機端末２が選択されている場合（図中「Ｃ」の場合）には、子機端末２に対して人感センサ３１を起動させる旨のセンサ起動指令を出力する（ステップＳ２０７）。このセンサ起動指令によって、子機端末１の制御部７０は、人感センサ３１を起動させる。当該人感センサ３１は、人の検知の有無に基づき、フラグを制御部７０に出力する。そして、子機端末１の制御部７０は、人感センサ３１から受け取ったフラグに基づいて周囲に人がいるか否かを判断し、当該判断の結果を親機端末１０に出力する。
【００６７】
次いで、親機端末１０の制御部４０は、当該子機端末２から取得した判断の結果に基づいて、人が検知された場合に（ステップＳ２０８：ＹＥＳ）、当該子機端末１に対して呼出音を鳴動させる旨の鳴動指令を出力する（ステップＳ２０９）。この鳴動指令によって、子機端末１の制御部７０は、鳴動部７３に当該鳴動指令を出力し、呼出音を鳴動させる。
【００６８】
次いで、親機端末１０の制御部４０は、子機端末１の受話器が取られたか否かの判断の結果を取得し、その判断の結果に基づいて、子機端末１の受話器が取られた場合に（ステップＳ２０５：ＹＥＳ）、親機端末１０の制御部４０は、回線制御部３６によって回線を閉結（通話可能状態）し、処理を終了する。
【００６９】
一方、ステップＳ２０５において、子機端末１の制御部７０は、ステップＳ２０８の判断の結果、人が検知されない場合（ステップＳ２０８：ＮＯ）、若しくはステップＳ２０５の判断の結果、子機端末１の受話器が取られない場合（ステップＳ２０５：ＮＯ）には、親機端末１０にその旨の情報を出力する。親機端末１０の制御部４０は、子機端末１から受け取った情報に基づいて鳴動部４２に鳴動指令を出力し、呼出音を鳴動させる。また、所定の時間経過後、回線が閉結されない場合には、回線制御部３６に回線を閉結させ、予め記憶部３３に記憶されている音声データを読み出し、該閉結された回線に前記音声データを出力し、発呼側からのメッセージの録音を行い（ステップＳ２０６）、処理を終了する。
【００７０】
また、親機端末１０の制御部は、ステップＳ２０１の検索の結果、親機端末、子機端末１、及び子機端末２のすべてに対応すると判断された場合、または対応する識別情報がない（図中「Ｂ」の場合）には、子機端末１及び２に対して人感センサ３１を作動させる旨のセンサ起動指令を出力する（ステップＳ２０２、ステップＳ２０７）。このセンサ起動指令によって、子機端末１、及び子機端末２の制御部７０は、人感センサ３１を起動させる。そして、子機端末１、及び子機端末２の制御部７０は、人感センサ３１から受け取ったフラグに基づいて周囲に人がいるか否かを親機端末１０に出力する。親機端末１０の制御部４０は、子機端末１及び２から取得した判断の結果に基づいて、ステップＳ１０３〜ステップＳ１０６、ステップＳ１０８、及びステップＳ１０９に示すように所定の処理を行う（すなわち、人の検知を条件に子機端末１又は子機端末への鳴動指令を行い、子機端末１、又は子機端末２の受話器が取られない場合には、親機端末１０を鳴動させる。また、所定の時間経過後、回線が閉結しなければ、自動応答処理を行う。）ようになっている。
【００７１】
次に、図５を参照して、図３に示すコードレス親子電話機の動作例について、子機端末の制御部を主体として説明する。図５は子機端末の動作例を示すフローチャート図である。なお、以下の説明において、理解し易いように、図１に対応する部分に符号を付することとするがこれにより実施形態が限定されるものではない。
【００７２】
はじめに、図５に示す処理は、親機端末１０から出力されるセンサ起動指令に基づいて子機端末１によって実行される処理である。この処理は、例えば、発呼側から通信回線１００を介して入力される着信信号を親機端末１０のモデム３５が受信した後、当該親機端末１０の制御部４０が、記憶部３３に記憶されている識別情報と一致する着信信号に含まれる識別番号を検索し、当該検索された識別情報がどの子機端末２０に対応するのかを判断する。そして、親機端末１０の制御部４０が、この判断の結果、子機端末１に対応すると判断した場合（図３中「Ａ」の場合）に実行されるものである。
【００７３】
まず、子機端末１の制御部７０は、人感センサ３１を起動させる（ステップＳ３０１）。
【００７４】
次いで、子機端末１の制御部７０は、人感センサ３１から受け取ったフラグ（検知信号）に基づいて周囲に人がいるか否かを判断する（ステップＳ３０２）。そして、人を検知した場合には、親機端末１０に対して「人がいる」旨の情報を出力する（ステップＳ３０３）。
【００７５】
当該「人がいる」旨の情報に基づいて、親機端末１０から呼出音を鳴動させる旨の鳴動指令が出力されるので、子機端末１の制御部７０は、当該鳴動指令を受け取り（ステップＳ３０４）、鳴動部７３に当該鳴動指令を出力し、呼出音を鳴動させる（ステップＳ３０５）。
【００７６】
次いで、子機端末１の制御部７０は、受話器が取られた否かを判断する（ステップＳ３０６）。この判断の結果、子機端末１の受話器が取られた場合（ステップＳ３０６：ＹＥＳ）には、子機端末１の制御部７０は、親機端末１０の制御部４０にその旨を出力し、処理を終了する。
【００７７】
一方、子機端末１の制御部７０は、ステップＳ３０６の判断の結果、子機端末１の受話器が取られない場合（ステップＳ３０６：ＮＯ）には、親機端末１０に「回線が閉結されない」旨の情報を出力し（ステップＳ３０７）、処理を終了する。
【００７８】
また、子機端末１の制御部７０は、ステップＳ３０２の判断の結果、人が検知されない場合（ステップＳ３０２：ＮＯ）には、親機端末１０に「人がいない」旨の情報を出力し（ステップＳ３０８）、処理を終了する。
【００７９】
以上に説明したように、本実施形態のコードレス親子電話機１は、着信信号によって特定された子機端末２０が人の存否を判断し、人が検知されれば当該特定された子機端末２０の呼出音を鳴動させるようになっている。よって、子機端末２０にかかってきた着信信号に対して子機端末２０の周囲に人がいる場合のみ呼出音を鳴らすようになっており、発呼側の着信信号に対して適切に子機端末２０を鳴動させることができる。
【００８０】
また、人が検知されなければ親機端末１０が呼出音を鳴らすようになっており、子機端末２０の持ち主の不在により連絡がつかない場合であっても、発呼側は、親機端末１０の着信に応じた子機端末２０の持ち主以外の人を介して子機端末２０の持ち主に連絡事項などを伝えることができる。また、子機端末２０にかかってきた着信に対してその持ち主がいない場合には呼出音を鳴らさないため、持ち主がいない時に当該子機端末２０の呼出音が鳴ることを防止できる。
【００８１】
また、人が検知されなければ、親機端末１０を鳴動させた後に自動応答処理するようになっており、子機端末２０の持ち主以外の人に連絡がつかない場合でも、留守番応答によって子機端末２０の持ち主に連絡事項を伝えることができる。
【００８２】
なお、本実施形態は一形態であって、この形態に限定されるものではない。例えば、本実施形態では、人感センサ３１により人の存否を検出した結果、子機端末２０の周りに人がいないと判断された場合に、一度、親機端末１０の呼出音を鳴らして、その後、自動応答処理されるようになっているが、子機端末２０の周りに人がいないと判断した場合に、すぐに自動応答処理されるようにしても構わない。
【００８３】
このようにすれば、また、子機端末２０にかかってきた電話に対してその周りに人（持ち主）がいない場合には呼出音を鳴らさないため、人がいない時に当該子機端末２０の呼出音が鳴ることを防止できる。また、子機端末２０の持ち主がいない場合であっても、発呼側は留守番応答によって子機端末２０の持ち主に連絡事項を伝えることができる。
【００８４】
また、人感センサ３１により人を検知した結果、子機端末２０の周りに人がいると判断した場合に当該子機端末２０の呼出音を鳴動させた後に、子機端末２０の周りの人が受話器をとらない場合には、親機端末１０の呼出音を鳴らして、その後、自動応答処理されるようになっているが、子機端末２０の呼出音を鳴動させた後、所定の時間経過しても回線を閉結できずにいたら親機端末１０によって呼出音を鳴動させることなく、自動応答処理されるようにしても構わない。
【００８５】
このように構成されたコードレス親機電話機１は、子機端末２０に対してかかってきた発呼信号に対して、人感センサによる人の存否にかかわらず、すぐに自動応答処理されるので、子機端末の持ち主のプライベート性を図ることが可能となる。
【００８６】
また、他の実施形態として、例えば、親機端末１０の制御部４０が、前記子機端末２０に対して鳴動指示を行ってから、タイマー部４１によりタイマーを起動させてカウントを開始し、当該タイマーによって経過した経過時間が、記憶部３３に記憶されている設定時間を経過したか否かを判断する。この判断の結果、回線が閉結されておらず、且つ前記設定時間が経過した場合には、親機端末１０の制御部４０は、鳴動部４２に鳴動指令を出力し、鳴動部４２によって呼出音を鳴動させるようにしても構わない。
【００８７】
このようにすれば、子機端末２０の持ち主が何らかの要因で電話に出られずに連絡がつかない場合であっても、親機端末１０により受けた子機端末２０の持ち主以外の人に連絡事項を伝えることが可能となる。
【００８８】
また、本実施形態は、本願の通信装置をファクシミリ機能付きのコードレス親子電話機１に適用したものを例示しているが、ファクシミリ機能が付いていない、親機端末と子機端末とを含んで構成される一般的な家庭用電話機や一般にスキャナ機能などを含んで構成される複合通信端末装置に適用することも可能である。
【図面の簡単な説明】
【００８９】
【図１】本実施形態に係るコードレス親子電話機の外観を示す斜視図である。
【図２】本実施形態に係るコードレス親子電話機の概要構成例を示す図である。
【図３】コードレス親子電話機の動作例を示すフローチャート図である。
【図４】図３における親機端末の動作例を示すフローチャート図である。
【図５】図３における子機端末の動作例を示すフローチャート図である。
【符号の説明】
【００９０】
１  コードレス親子電話機
１０  親機端末
２０  子機端末
３１  人感センサ
４０、７０  制御部
【図１】
2008252285.tif 000003
【図２】
2008252285.tif 000004
【図３】
2008252285.tif 000005
【図４】
2008252285.tif 000006
【図５】
2008252285.tif 000007